(57)【要約】【課題】  サッシが一回り大きなシャッター付の掃出し窓であっても、取付けが可能で、窓用サッシの外観と、外壁全体のデサイン性を向上させることのできる水切り兼用の外装材の提供を目的する。【解決手段】  建物の基礎１０上に配置される土台１２の側面部に装着される水切り兼用の外装材１において、当該外装材１の装飾部５に、長手方向に沿って下地材１４を介して前記土台１２と当接する第３の固定部７を、前記土台１２側に向かって突出形成し、当該装飾部５の下縁に沿って前記土台１２側に延出する底面部６の先端部を、前記土台１２と係合しないよう上方に傾斜させて設ける。【選択図】      図２
2014152501.tif 000002
【特許請求の範囲】
【請求項１】
基礎上の土台の側面部の上部と当接する第１の固定部と、当該第１の固定部の下端縁に沿って外方に向かって形成され、前記土台に下地材を介して密着可能な第２の固定部と、前記第２の固定部の下端縁に外方に向かって付設され、その先端縁が少なくとも外壁に装着される外装材より外側に突出する突出部と、前記突出部の先端縁に沿って下方に向かって形成され、その先端縁が少なくとも前記基礎の上端面に達する長さを有し、かつ前記土台の側面部が隠蔽可能な装飾部とからなるものであって、
前記装飾部の長手方向に沿って、下地材を介して前記土台と当接する第３の固定部が、前記土台側に向かって突出形成され、
当該突出部の下縁に沿って前記土台側に延出する底面部の先端部が、前記土台と係合しないよう上方に傾斜させて設けられていること
を特徴とする水切り兼用外装材。
【請求項２】
前記第１の固定部、第２の固定部、突出部および装飾部は、
防錆機能を有する一枚の板材の折曲げ成形で得られたものであること
を特徴とする請求項１に記載の水切り兼用の外装材。
【請求項３】
前記第３の固定部は、
前記装飾部の一部を前記土台方向に凹ませ、側断面コ字状に形成されていること
を特徴とする請求項１又は２に記載の水切り兼用の外装材。
【請求項４】
前記底面材は、
長手方向に沿って複数の所要の大きさの通気部が形成されていること
を特徴とする請求項１〜３のいずれかに記載の水切り兼用の外装材。
【請求項５】
前記第２の固定部は、
前記第１の固定部の先端縁に沿って外方に所要幅で水平に延出され、かつこの延出部の先端縁を所要幅で下方に垂直に折曲げて形成される断面Ｌ字状であること
を特徴とする請求項１〜４のいずれかに記載の水切り兼用の外装材。
【発明の詳細な説明】
【技術分野】
【０００１】
この発明は、外壁から伝わった雨水などが土台などに滲入することを防止する、水切り部材の役目を兼用した外装材に関するものである。
【背景技術】
【０００２】
一般的に、木造住宅においては、外壁から伝わった雨水などが土台などに滲入することを防止するための水切り部材が設置される。
かかる水切り部材として、例えば、特開２０００−０９６８０３号公報（特許文献１）において、外装材縦張り構造が提案されている。
【０００３】
この特許文献１の記載の外装材縦張り構造は、釘等の固定具によって直接固定せずに外装材の縦張りを可能とするものである。
具体的には、土台に取り付けられた外装材を支持するための支持金具と当接する固定板部を上部に有し、この固定板部の下端部に水平な受部の一端縁を連設し、前記水平な受部の他端縁を下方に垂直に折曲げ接続片を形成し、この接続片に流れ勾配を形成する傾斜部を介して水切り片を一体的に形成したものである。
【０００４】
前記外装材縦張り構造は、土台に支持金具が配設されるため、縦張りされる外装材の荷重は実質的にこの支持金具の支持片に加わり、外装材を支持金具で支持することができ、外装材は土台水切りに直接載置されるが、土台水切り自体には外装材の荷重はほとんど加わらない。
このため、土台水切りに外装材の荷重に起因する変形は生じず、従って、外装材の取付位置がずれるおそれはない。
しかも、支持金具は、土台水切りの下に位置するため、表面に露出することはなく、支持金具の配設によって、見栄えが悪くなることはないなどの作用効果が奏されるとしている。
【０００５】
一方、特開平０８−１８４１５７号公報においては、通気壁における下部土台部の防水性と通気性が良好に確保される、通気壁用の土台水切り部材が提案されている。
【０００６】
この通気壁用の土台水切り部材は、下地壁表面に通気空間を隔てて外装壁板を設けた通気壁において、断面形状が前記通気壁下端の前記下地壁１表面に沿う基板部と、この基板部の下端に前記通気空間の開口部を横断して前記外装壁板裏面側へ延びる延出部と、この延出部の延出端側を前記外装壁板裏面に沿って外装壁板３下端より下方へ伸びるように折り曲げた垂直部と、この垂直部下端部を外装壁板より表面側へ延出させ、さらに前記延出端を、通気壁土台を覆うように下方へ折り曲げた水切り部とからなる、前記通気壁下部の水平方向に沿って配置される長尺の成形体から構成されたものであって、前記延出部に適宜間隔ごとに通気用貫通孔が穿設されているものである。
【０００７】
この通気壁用の土台水切り部材は、前記の構成を採用することによって、壁下地に貼着けられる防水シートが、土台水切り部材の基板部を覆うため壁下地１に雨水などが浸透する恐れがない。
通気性は、貫通孔及び外装壁板との間の隙間の両方から行われるので、通気性が非常によい。
また、仮に土台水切り部材下方に積雪し、貫通孔が閉塞されても外装壁板との間の隙間からの通気が可能であるので、冬季積雪する地域であっても通気性が確保される効果を有するとしている。
【０００８】
かかる現状に鑑み、本出願人は、特開２０１２−１５８８８２号公報において、建物の基礎上に配置される土台の側面部の上部と当接する所要幅の第１の固定部と、前記第１の固定部の下端縁に沿って外方に向かって形成され、前記土台に当接して配置される所要の厚みを有する下地材と密着可能な第２の固定部と、前記第２の固定部の下端縁に沿って外方に向かって、その先端縁が少なくとも外壁に装着される外装材より外側に突出するよう設けられる突出部と、前記突出部の先端縁に沿って下方に向かって形成され、その先端縁が少なくとも前記基礎の上端面に達する長さを有し、かつ基礎上に配置された前記土台の側面部が隠蔽可能な装飾部とからなる水切り兼用の外装材を提案した。
【先行技術文献】
【特許文献】
【０００９】
【特許文献１】特開２０００−０９６８０３号公報（特許請求の範囲、図１）
【特許文献２】特開平０８−１８４１５７号公報（請求項１，２、図１〜図１０）
【特許文献３】特開２０１２−１５８８８２号公報（請求項１、図１）
【発明の概要】
【発明が解決しようとする課題】
【００１０】
前記特許文献１，２に記載の水切り部材は、いずれも土台の頂面部に直接外装材が配置されることを前提としたものであるので、特許文献３の図５に示すように、基礎１上に通気性パッキン２を介して設けられた土台３の頂面部に掃出し窓を形成するための窓用サッシ４を配置するような場合については、基本的に使用することができないものである。
【００１１】
すなわち、図５に示す土台３の頂面部に、掃出し窓を形成するための窓用サッシ４を配置する場合、窓用サッシ４の一部が土台の表面より外側に突出することになる。
したがって、前記土台３に従来と同様に水切り部材５を配置した場合、前記窓用サッシ４の下端部４ａと水切り部材５の傾斜面５ａとの間に土台３が剥き出しで顕出するので、外観上の体裁が悪化する。
そのため、従来は、前記剥き出し部の幅（縦方向）に適合するよう、所定の大きさに製作された市販の外装材の縦方向の幅を、手作業などでカットした外装材６で埋めることが行われている。
【００１２】
しかしながら、外装材を修正するためのカット作業は、時間と労力を要するとともに、カットされた外装材の一部は産業廃棄物として処理する以外には用途はなく、材料に無駄が生じることが避けられない。
しかも、外装材を固定するための下地も、水切り部材の立上りと窓用サッシの下端部の突出部を除いた狭い部分に水切り部材を釘で固定するため、施工上も煩わしい作業が伴うなど解決すべき課題が残されている。
【００１３】
前記特許文献３に記載の水切り兼用外装材は、建物の基礎上に設けられる土台に装着させた場合、前記土台との間で所要の間隔で相対する装飾部が、前記土台の側面部を隠蔽し、土台部が外部に顕出することがないので、建物の外観をより向上させることができるなどの優れた作用効果をするものである。
【００１４】
しかしながら、前記窓用サッシの下端のつばを除いた細い部分に釘で固定するため、施工上煩わしい手間を要し、通常の引違サッシの取付けに際しては、第２の固定部を設けることで解決できたが、一回り大きいシャッター付の窓用サッシに関しては、これを固定することができない、という課題が見つかった。
【００１５】
この発明はかかる現状に鑑み、シャッター付の掃出し窓であっても、当該窓用サッシ下の外装材の施工工事を不要とするとともに、既存の外装材のカット作業も無くすことで材料の無駄と無理な施工を解決すること、および窓用サッシ下の外観を向上させ、外壁全体のデサイン性を向上させることのできる水切り兼用の外装材の提供を目的としたものである。
【課題を解決するための手段】
【００１６】
前記目的を達成するため、この発明の請求項１に記載の水切り兼用の外装材は、
基礎上の土台の側面部の上部と当接する第１の固定部と、当該第１の固定部の下端縁に沿って外方に向かって形成され、前記土台に下地材を介して密着可能な第２の固定部と、前記第２の固定部の下端縁に外方に向かって付設され、その先端縁が少なくとも外壁に装着される外装材より外側に突出する突出部と、前記突出部の先端縁に沿って下方に向かって形成され、その先端縁が少なくとも前記基礎の上端面に達する長さを有し、かつ前記土台の側面部が隠蔽可能な装飾部とからなるものであって、
前記装飾部の長手方向に沿って、下地材を介して前記土台と当接する第３の固定部が、前記土台側に向かって突出形成され、
当該突出部の下縁に沿って前記土台側に延出する底面部の先端部が、前記土台と係合しないよう上方に傾斜させて設けられていること
を特徴とするものである。
【００１７】
この発明の請求項２に記載の発明は、
請求項１に記載の水切り兼用の外装材において、
前記第１の固定部、第２の固定部、突出部および装飾部は、
防錆機能を有する一枚の板材の折曲げ成形で得られたものであること
を特徴とするものである。
【００１８】
この発明の請求項３に記載の発明は、
請求項１又は２に記載の水切り兼用の外装材において、
前記第３の固定部は、
前記装飾部の一部を前記土台方向に凹ませ、側断面コ字状に形成されていること
を特徴とするものである。
【００１９】
この発明の請求項４に記載の発明は、
請求項１〜３のいずれかに記載の水切り兼用の外装材において、
前記底面材は、
長手方向に沿って複数の所要の大きさの通気部が形成されていること
を特徴とするものである。
【００２０】
この発明の請求項５に記載の発明は、
請求項１〜４のいずれかに記載の水切り兼用の外装材において、
前記第２の固定部は、
前記第１の固定部の先端縁に沿って外方に所要幅で水平に延出され、かつこの延出部の先端縁を所要幅で下方に垂直に折曲げて形成される断面Ｌ字状であること
を特徴とするものである。
【発明の効果】
【００２１】
この発明にかかる水切り兼用の外装材は、建物の基礎上に設けられる土台に装着させた場合、前記土台との間で所要の間隔で相対する装飾部に、下地材を介して当接する第３の固定部を設けたので、当該第３の固定部を土台の側面に装飾部を容易に装着することができるとともに、一般的な窓用サッシよりも大きなシャッター付の窓用サッシを土台上に付設する場合でも、土台の側面部を十分にカバーすることができる。
加えて、前記第３の固定部が溝状であるので、装飾部の強度が向上し、外観上の意匠性を向上させることができる。
【００２２】
その際、前記第３の固定部は、その一部を長手方向に沿って土台側に膨出させることによって、装飾部の強度を向上させるとともに、デザイン性が付与され、建物の下部にボリュームができ、重厚な意匠性を与えることができる。
【００２３】
さらに、この発明の水切り兼用外装材は、シャッター付の窓用サッシを土台に付設するに際し、一定の規格を有する外装材をカットして、狭い部位にカットされた外装材を施工するなどの煩わしい手間がなく、施工上の合理化を図ることができる。
【図面の簡単な説明】
【００２４】
【図１】この発明にかかる水切り兼用外装材の一例を示す斜視図である。
【図２】この発明にかかる水切り兼用外装材の使用状態の一例を示す説明図である。
【図３】この発明にかかる水切り兼用外装材の使用状態の他の例を示す説明図である。
【発明を実施するための形態】
【００２５】
以下、この発明にかかる水切り兼用外装材の一例を、添付の図面に基づいて具体的に説明する。
なお、この発明は図面に示される一例にのみ限定されるものではなく、その要旨を変更しない範囲内において種々変更することができるものである。
【００２６】
この発明の水切り兼用外装材１（以下、単に「外装材１」という。）は、防錆機能を有する一枚の板状体から構成されるものである。
かかる板状体としては、押出成形や折曲成形が可能な厚みを有するステンレス板やアルミ板などの防錆板材が使用されるが、樹脂板を使用することも可能である。
【００２７】
前記外装材１は、図１に示すように、
１）建物の基礎１０上に通気性パッキンなどの通気材１１を介して配置される土台１２の側面部上部と当接する垂直な第１の固定部２と、
２）前記第１の固定部２の下端縁に沿って、外方に向かって水平方向に所要幅で延出する水平部３ａの先端縁を下方に折曲げて所要幅の垂直部３ｂとした、断面Ｌ字状の第２の固定部３と、
３）前記第２の固定部３の垂直部３ｂの下端縁に、外方に向かって水平方向に延出する突出部４と、
４）前記突出部４の先端縁に沿って下方に向かって形成され、その先端縁が少なくとも前記基礎１０の上端面に達する長さを有し、かつ基礎１０上に配置された前記土台１２の側面部を隠蔽することが可能な装飾部５と、
５）前記装飾部５の先端縁に沿って、前記土台１２方向に向かって延設される底面部６とから構成されるもので、かかる外装材１は、一枚の板状体を順次折曲げ屈曲させることによって形成される。
【００２８】
なお、前記突出部４は、少なくともその先端縁が、外壁に装着される外装材１３より外側に突出するよう設けられる。
また、前記底面部６は、その先端側が上向きとなるよう、前記装飾部５に対して一定の傾斜角をもって連接されるもので、この実施例においては、傾斜角は約８０°に設定されている。
【００２９】
さらに、前記底面部６には、図１で明らかなように、通気部６ａが長手方向に沿って所定の間隔で複数配置されている。
【００３０】
かかる構成からなる外装材１は、例えば、図２で示すように、土台１２の上部に付設された立上り部１５の端面に第１の固定部２を当接させ、釘１６を使用して両者を固定させる。
ついで、第３の固定部７と土台１２との間に所要厚みの下地材１４を介在させ、前記下地材１４と第３の固定図を図示のように釘１６を利用して固定し、外装材１を安定した状態で土台１２に装着固定させるものである。
【００３１】
なお、この実施例では、第２の固定部３は利用していないが、必要に応じて下地材（図示せず）を土台１２との間に介在させ、釘を使用して土台１２に固定してもよい。
【００３２】
かくして土台１２に固定された外装材１は、その底面部６の先端部６ａが水平でなく、上方に傾斜させているので、装飾部５が多少大きくとも、底面部６が土台１２と当接することがないので、安定して固定することができる。
しかるのち、外壁材１３を図２に示すように装着する。
【００３３】
図３は、シャッター付の窓用サッシ２０を土台１２上に配置したものである。
図示のように、前記窓用サッシ２０の掃出し部２０ａの背面を、土台１２の上部前面に位置させるとともに、この発明の外装材１の第１の固定部２を、前記窓用サッシ２０内に差し込む。
ついで、あらかじめ前記外装材１の第３の固定部７に対応させて、土台１２に固定した下地材１４と前記第３の固定部７とを釘１６で固定し、外装材１を土台１２に確実に装着固定するものである。
【００３４】
なお、この発明にかかる外装材１は、掃出し窓を形成する際に生ずる窓用サッシ２０の下部に使用される以外に、バルコニー下や玄関ポーチ下などにも使用することができる。
【００３５】
この発明にかかる外装材１は、先に述べたように防錆機能を有する一枚の板材を屈曲形成させて成型するものである。
その際、前記第１の固定部２の上縁部と底面部６の先端縁をそれぞれ折り返し、折返し片を形成することによって、外装材１全体の強度を向上させることができ、かつその形状を常に一定に保持させることができる。
【００３６】
さらに、前記外装材１の装飾部５は、この実施例ではほぼ中央部に断面コ字状の第３の固定部７を形成しているが、その表面部を波状にすることでさらに強度を向上させることができる。
さらにまた、その表面部を前記外壁材１３と同一の色、模様などに形成することによって、全体の統一感を持たせることができる。
あるいは、窓用のサッシ以外の外壁に装着される外壁材１３と異なる色や模様などとすることによって、建物の外観にアクセントを付することも可能となる。
【産業上の利用可能性】
【００３７】
この発明の水切り兼用外装材は、建物の土台の前面部の大部分をカバーする装飾部の所要部位に、下地材を介して前記土台と当接する第３の固定部を有するもので、通常の引違サッシ以外に、サッシの枠が一回り大きいシャッター付のサッシにも利用することが可能であって、第３の固定部が装飾部のアクセントとなって建物の外観を向上させることができるので、水切りを必要とする部位以外にも利用できる可能性が高いものである。
【符号の説明】
【００３８】
１      水切り兼用外装材
２      第１の固定部
３      第２の固定部
３ａ    第２の固定部の水平部
３ｂ    第２の固定部の垂直部
４      突出部
５      装飾部
６      底面部
６ａ    通気部
７      第３の固定部
７ａ    第３の固定部の背面
１０    建物の基礎
１１    通気材
１２    土台
１３    外壁材
１４    下地材
１５    立上り部
１６    釘
２０    窓用サッシ
２０ａ  掃出しサッシ
【図１】
2014152501.tif 000003
【図２】
2014152501.tif 000004
【図３】
2014152501.tif 000005